(57)【要約】【課題】機器の位置に応じた機器設定を行うことができる機器管理システム、機器管理装置、機器及びプログラムを提供する。【解決手段】機器管理装置１０と、当該機器管理装置１０で管理される機器で実行されるプログラムと、を備える機器管理システムであって、機器管理装置１０は、機器の位置に関する位置情報を取得する位置情報取得部１５６と、取得された位置情報が示す位置に応じた機器設定を示す機器設定情報を取得する機器設定情報取得部１５８と、取得された機器設定情報を送信する送信部１５９と、を備え、プログラムは、機器管理装置１０から送信された機器設定情報が示す機器設定に基づく制御を行う機器制御部として、機器を機能させる。【選択図】図２
2014035593.tif 000002
【特許請求の範囲】
【請求項１】
機器管理装置と、当該機器管理装置で管理される機器で実行されるプログラムと、を備える機器管理システムであって、
前記機器管理装置は、
前記機器の位置に関する位置情報を取得する位置情報取得部と、
取得された前記位置情報が示す位置に応じた機器設定を示す機器設定情報を取得する機器設定情報取得部と、
取得された前記機器設定情報を送信する送信部と、を備え、
前記プログラムは、
前記機器管理装置から送信された前記機器設定情報が示す機器設定に基づく制御を行う機器制御部として、前記機器を機能させる機器管理システム。
【請求項２】
前記機器管理装置は、
取得された前記位置情報が示す位置が変化したか否かを判定する判定部を更に備え、
前記機器設定情報取得部は、取得された前記位置情報が示す位置が変化している場合、前記機器設定情報を取得する請求項１に記載の機器管理システム。
【請求項３】
前記機器管理装置は、
取得された前記位置情報を記憶する機器管理情報記憶部を更に備え、
前記判定部は、前記位置情報取得部により前記位置情報が取得されると、取得された前記位置情報が示す位置が前記機器管理情報記憶部に記憶されている前記位置情報が示す位置から変化したか否かを判定する請求項２に記載の機器管理システム。
【請求項４】
前記判定部は、取得された前記位置情報が示す位置が変化しているか否かの判定後に、当該位置情報が示す位置で、前記機器管理情報記憶部に記憶されている前記位置情報が示す位置を更新する請求項３に記載の機器管理システム。
【請求項５】
前記機器には、記憶装置が付与されており、
前記記憶装置には、前記機器が位置する領域に固定配置された書込装置から、当該書込装置を識別する書込装置識別情報が書き込まれ、
前記位置情報取得部は、前記位置情報として、前記機器から前記記憶装置に書き込まれた前記書込装置識別情報を取得する請求項２〜４のいずれか１つに記載の機器管理システム。
【請求項６】
前記機器管理情報記憶部は、前記機器を識別する機器識別情報及び前記記憶装置を識別する記憶装置識別情報を前記位置情報に対応付けて更に記憶し、
前記位置情報取得部は、前記機器から前記機器識別情報及び前記記憶装置識別情報を更に取得し、
前記判定部は、取得された前記機器識別情報が示す機器、前記記憶装置識別情報が示す記憶装置が、それぞれ、前記機器管理情報記憶部に記憶されている前記機器識別情報が示す機器、前記記憶装置識別情報が示す記憶装置と一致するか否かを判定し、一致する場合、取得された前記位置情報が示す位置が変化しているか否かの判定を行う請求項５に記載の機器管理システム。
【請求項７】
前記機器管理装置は、
前記位置情報と前記機器設定情報とを対応付けた機器設定テーブルを記憶する機器設定テーブル記憶部を更に備え、
前記機器設定情報取得部は、前記機器設定テーブルを参照して、取得された前記位置情報が示す位置に応じた機器設定を示す前記機器設定情報を取得する請求項２〜６のいずれか１つに記載の機器管理システム。
【請求項８】
前記機器設定情報取得部は、取得された前記位置情報が示す位置が変化している場合、前記機器設定テーブルを参照して、取得された前記位置情報が示す位置に応じた機器設定を示す前記機器設定情報のうち、前回取得した前記機器設定情報からの差分を取得する請求項７に記載の機器管理システム。
【請求項９】
前記機器設定情報は、機器種別毎に機器設定が定義されており、
前記機器制御部は、前記機器設定情報が示す機器設定のうち、前記機器の種別の機器設定に基づく制御を行う請求項１〜８のいずれか１つに記載の機器管理システム。
【請求項１０】
機器管理装置と、当該機器管理装置で管理される機器と、を備える機器管理システムであって、
前記機器管理装置は、
前記機器の位置に関する位置情報を取得する位置情報取得部と、
取得された前記位置情報が示す位置に応じた機器設定を示す機器設定情報を取得する機器設定情報取得部と、
取得された前記機器設定情報を送信する送信部と、を備え、
前記機器は、
前記機器管理装置から送信された前記機器設定情報が示す機器設定に基づく制御を行う機器制御部を備える機器管理システム。
【請求項１１】
前記機器管理装置は、
取得された前記位置情報が示す位置が変化したか否かを判定する判定部を更に備え、
前記機器設定情報取得部は、取得された前記位置情報が示す位置が変化している場合、前記機器設定情報を取得する請求項１０に記載の機器管理システム。
【請求項１２】
前記機器管理装置は、
取得された前記位置情報を記憶する機器管理情報記憶部を更に備え、
前記判定部は、前記位置情報取得部により前記位置情報が取得されると、取得された前記位置情報が示す位置が前記機器管理情報記憶部に記憶されている前記位置情報が示す位置から変化したか否かを判定する請求項１１に記載の機器管理システム。
【請求項１３】
前記判定部は、取得された前記位置情報が示す位置が変化しているか否かの判定後に、当該位置情報が示す位置で、前記機器管理情報記憶部に記憶されている前記位置情報が示す位置を更新する請求項１２に記載の機器管理システム。
【請求項１４】
前記機器には、記憶装置が付与されており、
前記記憶装置には、前記機器が位置する領域に固定配置された書込装置から、当該書込装置を識別する書込装置識別情報が書き込まれ、
前記位置情報取得部は、前記位置情報として、前記機器から前記記憶装置に書き込まれた前記書込装置識別情報を取得する請求項１１〜１３のいずれか１つに記載の機器管理システム。
【請求項１５】
前記機器管理情報記憶部は、前記機器を識別する機器識別情報及び前記記憶装置を識別する記憶装置識別情報を前記位置情報に対応付けて更に記憶し、
前記位置情報取得部は、前記機器から前記機器識別情報及び前記記憶装置識別情報を更に取得し、
前記判定部は、取得された前記機器識別情報が示す機器、前記記憶装置識別情報が示す記憶装置が、それぞれ、前記機器管理情報記憶部に記憶されている前記機器識別情報が示す機器、前記記憶装置識別情報が示す記憶装置と一致するか否かを判定し、一致する場合、取得された前記位置情報が示す位置が変化しているか否かの判定を行う請求項１４に記載の機器管理システム。
【請求項１６】
前記機器管理装置は、
前記位置情報と前記機器設定情報とを対応付けた機器設定テーブルを記憶する機器設定テーブル記憶部を更に備え、
前記機器設定情報取得部は、前記機器設定テーブルを参照して、取得された前記位置情報が示す位置に応じた機器設定を示す前記機器設定情報を取得する請求項１１〜１５のいずれか１つに記載の機器管理システム。
【請求項１７】
前記機器設定情報取得部は、取得された前記位置情報が示す位置が変化している場合、前記機器設定テーブルを参照して、取得された前記位置情報が示す位置に応じた機器設定を示す前記機器設定情報のうち、前回取得した前記機器設定情報からの差分を取得する請求項１６に記載の機器管理システム。
【請求項１８】
前記機器設定情報は、機器種別毎に機器設定が定義されており、
前記機器制御部は、前記機器設定情報が示す機器設定のうち、前記機器の種別の機器設定に基づく制御を行う請求項１０〜１７のいずれか１つに記載の機器管理システム。
【請求項１９】
機器を管理する機器管理装置であって、
前記機器の位置に関する位置情報を取得する位置情報取得部と、
取得された前記位置情報が示す位置に応じた機器設定を示す機器設定情報を取得する機器設定情報取得部と、
取得された前記機器設定情報を送信する送信部と、
を備える機器管理装置。
【請求項２０】
機器管理装置で管理される機器であって、
前記機器の位置に関する位置情報を取得し、前記機器管理装置に送信する位置情報取得部と、
前記位置情報が示す位置に応じた機器設定を示す機器設定情報を前記機器管理装置から受信し、受信した前記機器設定情報が示す機器設定に基づく制御を行う機器制御部と、
を備える機器。
【請求項２１】
機器を管理するコンピュータに、
前記機器の位置に関する位置情報を取得する位置情報取得ステップと、
取得された前記位置情報が示す位置に応じた機器設定を示す機器設定情報を取得する機器設定情報取得ステップと、
取得された前記機器設定情報を送信する送信ステップと、
を実行させるためのプログラム。
【発明の詳細な説明】
【技術分野】
【０００１】
本発明は、機器管理システム、機器管理装置、機器及びプログラムに関する。
【背景技術】
【０００２】
近年、ＩＴ（Information  Technology）化が進み、オフィスなどの様々な環境において、ＰＣ（Personal  Computer）、ディスプレイ、印刷機器などのＩＴ機器（情報機器）が導入されている。
【０００３】
このようなＩＴ機器は、ＩＴ資産（固定資産）として管理される場合があり、例えば特許文献１では、ＩＣ（Integrated  Circuit）タグを用いることでＩＴ資産の所在位置を管理サーバで管理する技術が開示されている。
【発明の概要】
【発明が解決しようとする課題】
【０００４】
しかしながら、従来技術では、機器設定を行う際に、機器管理装置などで管理されている機器の位置を活用するという着想が無かった。このため、従来技術では、機器の位置に応じた機器設定を行う場合、機器管理装置などでは対応できず、ユーザによる手動での設定で対応することになるが、管理対象の機器の数は増加傾向にあり、このような手法は現実的ではない。
【０００５】
本発明は、上記事情に鑑みてなされたものであり、機器の位置に応じた機器設定を行うことができる機器管理システム、機器管理装置、機器及びプログラムを提供することを目的とする。
【課題を解決するための手段】
【０００６】
上述した課題を解決し、目的を達成するために、本発明の一態様にかかる機器管理システムは、機器管理装置と、当該機器管理装置で管理される機器で実行されるプログラムと、を備える機器管理システムであって、前記機器管理装置は、前記機器の位置に関する位置情報を取得する位置情報取得部と、取得された前記位置情報が示す位置に応じた機器設定を示す機器設定情報を取得する機器設定情報取得部と、取得された前記機器設定情報を送信する送信部と、を備え、前記プログラムは、前記機器管理装置から送信された前記機器設定情報が示す機器設定に基づく制御を行う機器制御部として、前記機器を機能させるものである。
【０００７】
また、本発明の別の態様にかかる機器管理システムは、機器管理装置と、当該機器管理装置で管理される機器と、を備える機器管理システムであって、前記機器管理装置は、前記機器の位置に関する位置情報を取得する位置情報取得部と、取得された前記位置情報が示す位置に応じた機器設定を示す機器設定情報を取得する機器設定情報取得部と、取得された前記機器設定情報を送信する送信部と、を備え、前記機器は、前記機器管理装置から送信された前記機器設定情報が示す機器設定に基づく制御を行う機器制御部を備える。
【０００８】
また、本発明の別の態様にかかる機器管理装置は、機器を管理する機器管理装置であって、前記機器の位置に関する位置情報を取得する位置情報取得部と、取得された前記位置情報が示す位置に応じた機器設定を示す機器設定情報を取得する機器設定情報取得部と、取得された前記機器設定情報を送信する送信部と、を備える。
【０００９】
また、本発明の別の態様にかかる機器は、機器管理装置で管理される機器であって、前記機器の位置に関する位置情報を取得し、前記機器管理装置に送信する位置情報取得部と、前記位置情報が示す位置に応じた機器設定を示す機器設定情報を前記機器管理装置から受信し、受信した前記機器設定情報が示す機器設定に基づく制御を行う機器制御部と、を備える。
【００１０】
また、本発明の別の態様にかかるプログラムは、機器を管理するコンピュータに、前記機器の位置に関する位置情報を取得する位置情報取得ステップと、取得された前記位置情報が示す位置に応じた機器設定を示す機器設定情報を取得する機器設定情報取得ステップと、取得された前記機器設定情報を送信する送信ステップと、を実行させるためのものである。
【発明の効果】
【００１１】
本発明によれば、機器の位置に応じた機器設定を行うことができるという効果を奏する。
【図面の簡単な説明】
【００１２】
【図１】図１は、本実施形態の機器管理システムの構成の一例を示すブロック図である。
【図２】図２は、本実施形態の機器管理装置の構成の一例を示すブロック図である。
【図３】図３は、本実施形態の機器設定テーブルの一例を示す図である。
【図４】図４は、本実施形態の機器管理情報の一例を示す図である。
【図５】図５は、本実施形態の機器の構成の一例を示すブロック図である。
【図６】図６は、本実施形態の機器管理システムで実行されるリーダ／ライタ機ＩＤ登録処理の一例を示すシーケンス図である。
【図７】図７は、本実施形態の機器管理システムで実行される初回の機器設定処理の一例を示すシーケンス図である。
【図８】図８は、本実施形態の機器管理システムで実行される２回目以降の機器設定処理の一例を示すシーケンス図である。
【図９】図９は、本実施形態及び変形例の機器管理装置及び機器のハードウェア構成の一例を示すブロック図である。
【発明を実施するための形態】
【００１３】
以下、添付図面を参照しながら、本発明にかかる機器管理システム、機器管理装置、機器及びプログラムの実施形態を詳細に説明する。
【００１４】
まず、本実施形態の機器管理システムの構成について説明する。
【００１５】
図１は、本実施形態の機器管理システム１の構成の一例を示すブロック図である。図１に示すように、機器管理システム１は、機器管理装置１０と、機器２０−１〜２０−３と、リーダ／ライタ機３０−１〜３０−２とを、備える。機器管理装置１０と機器２０−１〜２０−３とは、ネットワーク２を介して接続されている。ネットワーク２は、例えば、インターネットやＬＡＮ（Local  Area  Network）などにより実現できる。
【００１６】
本実施形態では、機器管理装置１０は、機器管理サービスを提供するサービス提供会社のサービスセンタに設けられており、機器２０−１〜２０−３及びリーダ／ライタ機３０−１〜３０−２は、サービス拠点に設けられているものとする。但し、機器管理装置１０の設置場所は、サービスセンタに限定されず、サービス拠点などであってもよい。サービス拠点は、管理対象の機器が設置されているエリアであり、例えば、機器管理サービスを受ける会社のオフィスなどが該当する。
【００１７】
また本実施形態では、機器２０−１及びリーダ／ライタ機３０−１は、サービス拠点であるオフィスの１階に配置されており、機器２０−２、２０−３及びリーダ／ライタ機３０−２は、オフィスの２階に配置されているものとする。なお、リーダ／ライタ機３０−１、３０−２（書込装置の一例）は、例えばゲートなどの態様で、それぞれ、オフィスの１階、２階の入り口などに固定配置されているものとするが、これに限定されるものではない。
【００１８】
機器管理装置１０は、機器２０−１〜２０−３を管理するものであり、後述の機器管理プログラムがインストールされたＰＣなどにより実現できる。図１では、機器２０−１〜２０−３を例示しているが、機器管理装置１０の管理対象の機器はこれらに限定されるものではない。
【００１９】
機器２０−１〜２０−３は、ネットワーク２に接続可能な機器であればよい。機器２０−１〜２０−３は、例えば、ＰＣ（Personal  Computer）やタブレット端末等の情報処理装置、印刷装置、複写機、複合機、スキャナ装置、及びファクシミリ装置等の画像形成装置、並びにプロジェクタ、カメラ、エアコン、冷蔵庫、蛍光灯、自販機、及びハンドヘルド型端末等の各種電子機器などが該当する。複合機（ＭＦＰ：Multifunction  Peripheral）は、複写機能、印刷機能、スキャナ機能、及びファクシミリ機能のうち少なくとも２つの機能を有するものである。本実施形態では、機器２０−１がプロジェクタであり、機器２０−２がＰＣであり、機器２０−３がＭＦＰである場合を例に取り説明するが、これに限定されるものではない。
【００２０】
また、機器２０−１〜２０−３には、それぞれ、ＩＣ（Integrated  Circuit）タグ４０−１〜４０−３（記憶装置の一例）が付与されている。ＩＣタグ４０−１は、機器２０−１に付与されているため、機器２０−１が配置されたオフィスの１階に固定配置されたリーダ／ライタ機３０−１のリーダ／ライタ機ＩＤ（書込装置を識別する書込装置識別情報の一例）が書き込まれる。ＩＣタグ４０−２、４０−３は、それぞれ、機器２０−２、２０−３に付与されているため、機器２０−２、２０−３が配置されたオフィスの２階に固定配置されたリーダ／ライタ機３０−２のリーダ／ライタ機ＩＤが書き込まれる。
【００２１】
なお、以下の説明では、機器２０−１〜２０−３を各々区別する必要がない場合は、単に機器２０と称し、リーダ／ライタ機３０−１〜３０−２を各々区別する必要がない場合は、単にリーダ／ライタ機３０と称し、ＩＣタグ４０−１〜４０−３を各々区別する必要がない場合は、単にＩＣタグ４０と称する場合がある。
【００２２】
図２は、本実施形態の機器管理装置１０の構成の一例を示すブロック図である。図２に示すように、機器管理装置１０は、通信部１１０と、操作部１２０と、表示部１３０と、記憶部１４０と、制御部１５０とを、備える。
【００２３】
通信部１１０は、ネットワーク２を介して、機器２０などの外部装置と通信するものであり、ＮＩＣ（Network  Interface  Card）などにより実現できる。
【００２４】
操作部１２０は、各種操作の入力を行うものであり、キーボード、マウス、タッチパッド、及びタッチパネルなどの入力装置により実現できる。
【００２５】
表示部１３０は、各種画面を表示するものであり、液晶ディスプレイ及びタッチパネル式ディスプレイなどの表示装置により実現できる。
【００２６】
記憶部１４０は、機器管理装置１０で実行されるＯＳ（Operating  System）プログラム及び機器管理プログラムなどの各種プログラム、並びに機器管理装置１０で行われる各種処理に使用される機器制御プログラムなどの各種データを記憶する。記憶部１４０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、及び電気的に記憶可能な記憶装置の少なくともいずれかにより実現できる。記憶部１４０は、機器設定テーブル記憶部１４１と、機器管理情報記憶部１４２とを、含む。なお、機器管理情報記憶部１４２については後述する。
【００２７】
機器設定テーブル記憶部１４１は、機器２０の位置に関する位置情報と機器設定を示す機器設定情報とを対応付けた機器設定テーブルを記憶する。図３は、本実施形態の機器設定テーブルの一例を示す図である。図３に示す例では、機器設定テーブルは、エリア、リーダ／ライタ機ＩＤ、ポリシー名、機器種別、及びポリシー内容を対応付けたテーブルとなっている。なお、図３に示す例では、少なくともリーダ／ライタ機ＩＤが位置情報となり、ポリシー名、機器種別、及びポリシー内容が機器設定情報となるが、これに限定されるものではない。また、ポリシーは、機器設定の一例であり、本実施形態では、各ポリシーは、ファイルなどの形式で機器種別毎にポリシー内容を定義している。
【００２８】
エリアは、オフィス内の領域を示し、リーダ／ライタ機ＩＤは、当該エリアに固定配置されているリーダ／ライタ機３０のＩＤを示し、ポリシー名は、ポリシーの名称を示し、機器種別は、機器２０の種別を示し、ポリシー内容は、ポリシーの内容を示す。なお本実施形態では、リーダ／ライタ機３０−１のリーダ／ライタ機ＩＤは“ＲＷ０００１”であり、リーダ／ライタ機３０−２のリーダ／ライタ機ＩＤは“ＲＷ０００２”であるものとするが、これに限定されるものではない。
【００２９】
制御部１５０は、機器管理装置１０の各部を制御するものであり、ＣＰＵ（Central  Processing  Unit）などの制御装置により実現できる。制御部１５０は、ＯＳ１５１と、機器管理アプリケーション１５２（以下、機器管理アプリ１５２と称する）と、送信部１５９とを、含む。ここで、制御部１５０は、記憶部１４０に記憶されているＯＳプログラム、機器管理プログラムを起動（実行）することにより、それぞれ、ＯＳ１５１、機器管理アプリ１５２をソフトウェアとして実現する。
【００３０】
ＯＳ１５１は、機器管理装置１０の各部（詳細には、機器管理装置１０のハードウェア及びソフトウェア）を制御するものであり、例えば、Ｗｉｎｄｏｗｓ（登録商標）やＵＮＩＸ（登録商標）などの基本ソフトウェアにより実現できる。
【００３１】
機器管理アプリ１５２は、ＳＮＭＰ（Simple  Network  Management  Protocol）など機器管理で一般的に用いられる汎用プロトコルを用いて、管理対象の機器を管理するものであり、検索部１５３と、依頼部１５４と、管理部１５５と、位置情報取得部１５６と、判定部１５７と、機器設定情報取得部１５８とを、含む。
【００３２】
検索部１５３は、機器２０を検索する。検索部１５３は、例えば、ＯＳ１５１を介して検索先のＩＰアドレスにＳＮＭＰ又はＰＩＮＧ（Packet  Internet  Groper）などのリクエストを送信し、新規の（管理対象となっていない）機器２０を検索する。
【００３３】
依頼部１５４は、検索部１５３により新規の機器２０が検索されると、送信部１５９に、当該機器２０への機器制御プログラムの配布（送信）を依頼するとともに、当該機器２０に設定する資産番号（機器２０を識別する機器識別情報の一例）を通知する。当該資産番号は、後述の機器管理情報記憶部１４２に未だ記憶（登録）されていない番号である。
【００３４】
送信部１５９は、機器管理アプリ１５２から機器制御プログラムの配布を依頼されると、記憶部１４０から機器制御プログラムを取得し、機器管理アプリ１５２から通知された資産番号を設定し、ＯＳ１５１を介して依頼された機器２０へ配布（送信）する。
【００３５】
管理部１５５は、管理対象の機器を管理する。管理部１５５は、送信部１５９により機器制御プログラムが配布された機器２０から、当該機器２０の資産番号、機器名、型番、登録日、及び管理者情報を、ＯＳ１５１を介して取得する。そして管理部１５５は、取得した資産番号、機器名、型番、登録日、及び管理者情報を対応付けて機器管理情報記憶部１４２に記憶する。これにより、機器２０の資産番号、機器名、型番、登録日、及び管理者情報が機器管理情報記憶部１４２に記憶され、機器２０が新たに機器管理装置１０（機器管理アプリ１５２）の管理対象の機器になる（登録される）。そして管理部１５５は、管理対象の機器２０と定期的に通信を行うことで、ネットワーク２を介して、管理対象の機器２０を管理する。
【００３６】
位置情報取得部１５６は、管理対象の機器２０の位置に関する位置情報を取得する。具体的には、位置情報取得部１５６は、管理対象の機器２０から、ＩＣタグ４０に書き込まれている（記憶されている）リーダ／ライタ機ＩＤ、機器２０の資産番号、及びＩＣタグ４０のＩＣタグＩＤ（記憶装置を識別する記憶装置識別情報の一例）を、ＯＳ１５１を介して取得する。
【００３７】
ここで、機器管理情報記憶部１４２について説明する。機器管理情報記憶部１４２は、管理対象の機器２０の位置情報など機器管理情報を記憶する。図４は、本実施形態の機器管理情報の一例を示す図である。図４に示す例では、機器管理情報は、資産番号、機器名、型番、登録日、ＩＣタグＩＤ、リーダ／ライタ機ＩＤ、及び管理者情報を対応付けた情報となっている。なお、図４に示す例では、資産番号が機器識別情報となり、ＩＣタグＩＤが記憶装置識別情報となり、リーダ／ライタ機ＩＤが位置情報となるが、これに限定されるものではない。
【００３８】
資産番号、機器名、型番、登録日、及び管理者情報は、管理部１５５が機器２０を機器管理装置１０（機器管理アプリ１５２）の管理対象とした際に登録（記憶）され、ＩＣタグＩＤ及びリーダ／ライタ機ＩＤは、後述の判定部１５７により登録（記憶）される。
【００３９】
なお本実施形態では、機器２０−１の資産番号は“Ｓ０１００”であり、機器２０−２の資産番号は“Ｓ０２００”であり、機器２０−３の資産番号は“Ｓ０３００”であり、ＩＣタグ４０−１のＩＣタグＩＤは“Ｉ０００１”であり、ＩＣタグ４０−２のＩＣタグＩＤは“Ｉ０００２”であり、ＩＣタグ４０−３のＩＣタグＩＤは“Ｉ０００３”であるものとするが、これに限定されるものではない。
【００４０】
判定部１５７は、位置情報取得部１５６により取得された位置情報が示す位置が変化したか否かを判定する。具体的には、判定部１５７は、位置情報取得部１５６により位置情報が取得されると、取得された位置情報が示す位置が機器管理情報記憶部１４２に記憶されている位置情報が示す位置から変化したか否かを判定する。そして、判定部１５７は、取得された位置情報が示す位置が変化しているか否かの判定後に、当該位置情報が示す位置で、機器管理情報記憶部１４２に記憶されている位置情報が示す位置を更新する。
【００４１】
例えば、判定部１５７は、位置情報取得部１５６により機器２０からリーダ／ライタ機ＩＤ等が取得されると、取得されたリーダ／ライタ機ＩＤが、取得された機器２０の資産番号と一致する資産番号に対応付けて機器管理情報記憶部１４２に記憶されている機器２０のリーダ／ライタ機ＩＤから変化したか否かを判定する。そして、判定部１５７は、判定後に、取得されたリーダ／ライタ機ＩＤで、機器管理情報記憶部１４２に記憶されている機器２０のリーダ／ライタ機ＩＤを更新する。
【００４２】
なお判定部１５７は、位置情報取得部１５６により取得された機器識別情報が示す機器、記憶装置識別情報が示す記憶装置が、それぞれ、機器管理情報記憶部１４２に記憶されている機器識別情報が示す機器、記憶装置識別情報が示す記憶装置と一致するか否かを判定し、一致する場合、取得された位置情報が示す位置が変化しているか否かの判定を行う。
【００４３】
例えば、判定部１５７は、位置情報取得部１５６により取得された機器２０の資産番号、ＩＣタグ４０のＩＣタグＩＤが、それぞれ、機器管理情報記憶部１４２に記憶されている機器２０の資産番号、ＩＣタグ４０のＩＣタグＩＤと一致するか否かを判定し、一致する場合、取得された位置情報が示す位置が変化しているか否かの判定を行う。
【００４４】
なお、位置情報取得部１５６により機器２０のリーダ／ライタ機ＩＤ及びＩＣタグ４０のＩＣタグＩＤが最初に取得された時点では、機器管理情報記憶部１４２に機器２０のリーダ／ライタ機ＩＤ及びＩＣタグ４０のＩＣタグＩＤが記憶されていない。このため、判定部１５７は、機器２０のリーダ／ライタ機ＩＤが変化したと判定し、位置情報取得部１５６により取得された機器２０の資産番号と一致する資産番号に対応付けて、位置情報取得部１５６により取得された機器２０のリーダ／ライタ機ＩＤ及びＩＣタグ４０のＩＣタグＩＤを登録（記憶）する。
【００４５】
機器設定情報取得部１５８は、位置情報取得部１５６により取得された位置情報が示す位置に応じた機器設定を示す機器設定情報を取得し、送信部１５９に、機器２０への送信を依頼する。具体的には、機器設定情報取得部１５８は、位置情報取得部１５６により取得された位置情報が示す位置が変化している場合、機器設定テーブルを参照して、位置情報取得部１５６により取得された位置情報が示す位置に応じた機器設定を示す機器設定情報を取得する。より詳細には、機器設定情報取得部１５８は、位置情報取得部１５６により取得された位置情報が示す位置が変化している場合、機器設定テーブルを参照して、位置情報取得部１５６により取得された位置情報が示す位置に応じた機器設定を示す機器設定情報のうち、前回取得した機器設定情報からの差分を取得する。
【００４６】
例えば、機器設定情報取得部１５８は、位置情報取得部１５６により取得されたリーダ／ライタ機ＩＤが変化している場合、機器設定テーブルを参照して、当該リーダ／ライタ機ＩＤに応じたポリシーのうち、前回取得したポリシーからの差分を取得する。
【００４７】
送信部１５９は、機器管理アプリ１５２から機器設定情報の送信を依頼されると、ＯＳ１５１を介して依頼された機器２０へ送信する。
【００４８】
なお、機器管理装置１０は、上述した各部の全てを必須の構成とする必要はなく、その一部を省略した構成としてもよい。
【００４９】
図５は、本実施形態の機器２０の構成の一例を示すブロック図である。図５に示すように、機器２０は、通信部２１０と、操作部２２０と、表示部２３０と、記憶部２４０と、制御部２５０とを、備える。また、機器２０には、ＩＣタグ４０が付与されている。本実施形態では、ＩＣタグ４０は、ＵＳＢ（Universal  Serial  Bus）などの外部インタフェースを介して機器２０に装着されていることを想定しているが、これに限定されるものではなく、機器２０に内蔵されていてもよい。
【００５０】
通信部２１０は、ネットワーク２を介して、機器管理装置１０などの外部装置と通信するものであり、ＮＩＣなどにより実現できる。
【００５１】
操作部２２０は、各種操作の入力を行うものであり、キーボード、マウス、タッチパッド、及びタッチパネルなどの入力装置により実現できる。
【００５２】
表示部２３０は、各種画面を表示するものであり、液晶ディスプレイ及びタッチパネル式ディスプレイなどの表示装置により実現できる。
【００５３】
記憶部２４０は、機器２０で実行されるＯＳプログラム及び機器制御プログラムなどの各種プログラム、並びに機器２０の資産番号、機器名、型番、登録日、及び管理者情報など機器２０で行われる各種処理に使用されるデータなどを記憶する。なお、機器２０の資産番号及び登録日は、機器管理装置１０により設定される。具体的には、機器管理装置１０から機器２０に機器制御プログラムが配布（ダウンロード）されて記憶部２４０にインストールされることにより、機器２０の資産番号及び登録日が記憶部２４０に記憶される。なお、機器２０の機器名、型番、及び管理者情報などは、予め記憶部２４０に記憶されている。
【００５４】
記憶部２４０は、例えば、ＨＤＤ、ＳＳＤ、メモリカード、光ディスク、ＲＯＭ、及びＲＡＭなどの磁気的、光学的、及び電気的に記憶可能な記憶装置の少なくともいずれかにより実現できる。
【００５５】
制御部２５０は、機器２０の各部を制御するものであり、ＣＰＵなどの制御装置により実現できる。制御部２５０は、ＯＳ２５１と、機器制御アプリケーション２５２（以下、機器制御アプリ２５２と称する）とを、含む。ここで、制御部２５０は、記憶部２４０に記憶されているＯＳプログラム、機器制御プログラムを起動（実行）することにより、それぞれ、ＯＳ２５１、機器制御アプリ２５２をソフトウェアとして実現する。
【００５６】
ＯＳ２５１は、機器２０の各部（詳細には、機器２０のハードウェア及びソフトウェア）を制御するものであり、例えば、ＷｉｎｄｏｗｓやＵＮＩＸなどの基本ソフトウェアにより実現できる。
【００５７】
機器制御アプリ２５２は、機器２０を管理するものであり、位置情報取得部２５３と、機器制御部２５４とを、含む。
【００５８】
位置情報取得部２５３は、機器２０の位置情報を取得し、ＯＳ２５１を介して機器管理装置１０に送信する。具体的には、位置情報取得部２５３は、ＩＣタグ４０からリーダ／ライタ機ＩＤ及びＩＣタグＩＤを取得するとともに、記憶部２４０から資産番号を取得し、ＯＳ２５１を介して機器管理装置１０に送信する。
【００５９】
機器制御部２５４は、機器２０の位置情報が示す位置に応じた機器設定を示す機器設定情報を、ＯＳ２５１を介して機器管理装置１０から受信し、受信した機器設定情報が示す機器設定に基づく制御を行う。具体的には、機器制御部２５４は、受信した機器設定情報が示す機器設定のうち、機器２０の種別の機器設定に基づく制御を行う。例えば、機器２０が機器２０−２である場合、機器制御部２５４は、Ｐｏｌｉｃｙ２を受信するので（図３参照）、Ｐｏｌｉｃｙ２が示すポリシー内容のうち、機器種別が“ＰＣ”のポリシー内容に基づく制御、即ち、ＭＦＰ＿１（機器２０−３）を使用可能とし、図示せぬサーバ装置などで管理されているドキュメントのうち、ドキュメント２群へのアクセスを可能とする制御を行う。
【００６０】
なお、機器２０は、上述した各部の全てを必須の構成とする必要はなく、その一部を省略した構成としてもよい。
【００６１】
次に、本実施形態の機器管理システムの動作について説明する。なお、以下では、機器２０−２を例に取り機器管理システム１の動作を説明するが、他の機器２０についても同様である。
【００６２】
図６は、本実施形態の機器管理システム１で実行されるリーダ／ライタ機ＩＤ登録処理の一例を示すシーケンス図である。図６に示す処理は、どのようなタイミングで行われてもよいが、本実施形態では、リーダ／ライタ機３０が配置されたオフィスのエリアに機器２０−２が搬入され、当該機器２０−２が当該エリアの出入り口に固定配置されたリーダ／ライタ機３０（ゲート）を通過する際に実行される場合を想定する。
【００６３】
まず、ＩＣタグ４０−２が付与された機器２０−２がリーダ／ライタ機３０を通過すると、リーダ／ライタ機３０は、機器２０−２に付与されたＩＣタグ４０−２を検知し、検知したＩＣタグ４０−２に自身のリーダ／ライタ機ＩＤを書き込む（ステップＳ１００）。
【００６４】
例えば、図１に示すように、機器２０−２がオフィスの２階に搬入された場合には、リーダ／ライタ機３０−２により、ＩＣタグ４０−２にリーダ／ライタ機ＩＤ“ＲＷ０００２”が書き込まれる。また例えば、図１に示す状態から機器２０−２が移動され、オフィスの１階に搬入された場合には、リーダ／ライタ機３０−１により、ＩＣタグ４０−２にリーダ／ライタ機ＩＤ“ＲＷ０００１”が書き込まれる（上書きされる）。
【００６５】
図７は、本実施形態の機器管理システム１で実行される初回の機器設定処理の一例を示すシーケンス図である。
【００６６】
まず、機器管理装置１０の機器管理アプリ１５２の検索部１５３は、検索先のＩＰアドレスにリクエストを送信し、新規の機器２０を検索する（ステップＳ２００）。ここでは、検索先のＩＰアドレスは、オフィスの２階に配置された機器２０−２のＩＰアドレスであるものとする。
【００６７】
続いて、機器２０−２のＯＳ２５１は、リクエストに対する応答として、機器制御アプリが無い旨の応答を機器管理アプリ１５２に行う（ステップＳ２０２）。
【００６８】
続いて、機器管理アプリ１５２の依頼部１５４は、検索部１５３により機器２０−２が検索されると、送信部１５９に、機器２０−２への機器制御プログラムの配布を依頼するとともに、機器２０−２に設定する資産番号“Ｓ０２００”を通知する（ステップＳ２０４）。
【００６９】
続いて、送信部１５９は、機器管理アプリ１５２から機器制御プログラムの配布を依頼されると、記憶部１４０から機器制御プログラムを取得し、機器管理アプリ１５２から通知された資産番号“Ｓ０２００”を設定し（ステップＳ２０６）、機器２０−２へ配布する（ステップＳ２０８）。
【００７０】
続いて、機器２０−２のＯＳ２５１は、機器管理装置１０から機器制御プログラムが配布されると、当該機器制御プログラムを記憶部２４０にインストールする（ステップＳ２１０）。これにより、機器２０−２の資産番号“Ｓ０２００”及び登録日が記憶部２４０に記憶される。そしてＯＳ２５１が、記憶部２４０に記憶されている機器制御プログラムを起動（実行）することにより、機器制御アプリ２５２がソフトウェアとして実現される。
【００７１】
続いて、機器２０−２の機器制御アプリ２５２は、機器制御プログラムの配布に対する応答として、記憶部２４０から機器２０−２の資産番号“Ｓ０２００”、機器名、型番、及び登録日を取得し、ＯＳ２５１を介して機器管理アプリ１５２に通知する（ステップＳ２１２、Ｓ２１４）。そして、機器管理アプリ１５２の管理部１５５は、機器制御アプリ２５２から資産番号“Ｓ０２００”、機器名、型番、及び登録日を取得し、機器管理情報記憶部１４２に記憶する。
【００７２】
続いて、機器管理アプリ１５２の位置情報取得部１５６は、ＯＳ２５１にリーダ／ライタ機ＩＤを要求する（ステップＳ２１６）。
【００７３】
続いて、機器制御アプリ２５２の位置情報取得部２５３は、ＯＳ２５１を介してリーダ／ライタ機ＩＤが要求されると（ステップＳ２１８）、ＩＣタグ４０−２にリーダ／ライタ機ＩＤ及びＩＣタグＩＤを要求する（ステップＳ２２０）。
【００７４】
続いて、ＩＣタグ４０−２は、自身に書き込まれているリーダ／ライタ機ＩＤ“ＲＷ０００２”及び自身のＩＣタグＩＤ“Ｉ０００２”を機器制御アプリ２５２に応答する（ステップＳ２２２）。
【００７５】
続いて、機器制御アプリ２５２の位置情報取得部２５３は、記憶部２４０から自身の資産番号“Ｓ０２００”を取得し、ＩＣタグ４０−２から応答されたリーダ／ライタ機ＩＤ“ＲＷ０００２”及びＩＣタグＩＤ“Ｉ０００２”とともに、ＯＳ２５１を介して機器管理アプリ１５２に応答する（ステップＳ２２４、Ｓ２２６）。そして、機器管理アプリ１５２の位置情報取得部１５６は、機器制御アプリ２５２から、資産番号“Ｓ０２００”、リーダ／ライタ機ＩＤ“ＲＷ０００２”、及びＩＣタグＩＤ“Ｉ０００２”を取得する。
【００７６】
続いて、機器管理アプリ１５２の判定部１５７は、機器管理情報記憶部１４２において、資産番号“Ｓ０２００”にリーダ／ライタ機ＩＤ及びＩＣタグＩＤが対応付けられていないため、機器２０−２のリーダ／ライタ機ＩＤが変化したと判定し、資産番号“Ｓ０２００”にリーダ／ライタ機ＩＤ“ＲＷ０００２”及びＩＣタグＩＤ“Ｉ０００２”を対応付けて記憶する。そして、機器管理アプリ１５２の機器設定情報取得部１５８は、例えば図３に示す機器設定テーブルを参照して、リーダ／ライタ機ＩＤ“ＲＷ０００２”に応じたＰｏｌｉｃｙ２を取得し、送信部１５９は、取得されたＰｏｌｉｃｙ２をＯＳ２５１に送信する（ステップＳ２２８）。
【００７７】
続いて、機器制御アプリ２５２の機器制御部２５４は、ＯＳ２５１を介してＰｏｌｉｃｙ２を受信すると（ステップＳ２３０）、Ｐｏｌｉｃｙ２が示すポリシー内容のうち、機器種別が“ＰＣ”のポリシー内容に基づく制御、即ち、ＭＦＰ＿１（機器２０−３）を使用可能とし、図示せぬサーバ装置などで管理されているドキュメントのうち、ドキュメント２群へのアクセスを可能とする制御を行う（ステップＳ２３２）。
【００７８】
続いて、機器制御部２５４は、機器２０−２にＰｏｌｉｃｙ２を適用した旨の応答を、ＯＳ２５１を介して機器管理アプリ１５２に行う（ステップＳ２３４、Ｓ２３６）。
【００７９】
図８は、本実施形態の機器管理システム１で実行される２回目以降の機器設定処理の一例を示すシーケンス図である。なお、図８に示す例では、機器２０−２がオフィスの２階から１階に移動され、ＩＣタグ４０−２に記憶されているリーダ／ライタ機ＩＤが“ＲＷ０００２”から“ＲＷ０００１”に上書きされている場合を例に取り説明するが、これに限定されるものではない。また、図８に示す処理は、どのようなタイミングで行われてもよいが、本実施形態では、機器２０−２の起動時に実行される場合を想定する。
【００８０】
まず、機器２０−２が起動され、機器制御アプリ２５２の位置情報取得部２５３は、ＯＳ２５１からリーダ／ライタ機ＩＤが要求されると（ステップＳ３００）、ＩＣタグ４０−２にリーダ／ライタ機ＩＤ及びＩＣタグＩＤを要求する（ステップＳ３０２）。
【００８１】
続いて、ＩＣタグ４０−２は、自身に書き込まれているリーダ／ライタ機ＩＤ“ＲＷ０００１”及び自身のＩＣタグＩＤ“Ｉ０００２”を機器制御アプリ２５２に応答する（ステップＳ３０４）。
【００８２】
続いて、機器制御アプリ２５２の位置情報取得部２５３は、記憶部２４０から自身の資産番号“Ｓ０２００”を取得し、ＩＣタグ４０−２から応答されたリーダ／ライタ機ＩＤ“ＲＷ０００１”及びＩＣタグＩＤ“Ｉ０００２”とともに、ＯＳ２５１を介して機器管理アプリ１５２に応答する（ステップＳ３０６、Ｓ３０８）。そして、機器管理アプリ１５２の位置情報取得部１５６は、機器制御アプリ２５２から、資産番号“Ｓ０２００”、リーダ／ライタ機ＩＤ“ＲＷ０００１”、及びＩＣタグＩＤ“Ｉ０００２”を取得する。
【００８３】
続いて、機器管理アプリ１５２の判定部１５７は、位置情報取得部１５６により取得された資産番号“Ｓ０２００”、ＩＣタグＩＤ“Ｉ０００２”が、それぞれ、機器管理情報記憶部１４２に記憶されている機器２０−２の資産番号“Ｓ０２００”、ＩＣタグ４０−２のＩＣタグＩＤ“Ｉ０００２”と一致することを確認する。このため、判定部１５７は、位置情報取得部１５６により取得されたリーダ／ライタ機ＩＤが、資産番号“Ｓ０２００”に対応付けられて機器管理情報記憶部１４２に記憶されているリーダ／ライタ機ＩＤと一致するか否かを判定する（ステップＳ３１０）。
【００８４】
ここで、位置情報取得部１５６により取得されたリーダ／ライタ機ＩＤは“ＲＷ０００１”、機器管理情報記憶部１４２に記憶されているリーダ／ライタ機ＩＤは“ＲＷ０００２”であるため、判定部１５７は、機器管理情報記憶部１４２に記憶されているリーダ／ライタ機ＩＤ“ＲＷ０００２”をリーダ／ライタ機ＩＤ“ＲＷ０００１”で更新する。そして、機器管理アプリ１５２の機器設定情報取得部１５８は、例えば図３に示す機器設定テーブルを参照して、現在機器２０−２に適用されているＰｏｌｉｃｙ２とリーダ／ライタ機ＩＤ“ＲＷ０００１”に応じたＰｏｌｉｃｙ１との差分を確認する（ステップＳ３１２）。但し、Ｐｏｌｉｃｙ１とＰｏｌｉｃｙ２には、共通の内容は存在せず、差分が存在しないため、機器設定情報取得部１５８は、Ｐｏｌｉｃｙ１を取得し、送信部１５９は、取得されたＰｏｌｉｃｙ２をＯＳ２５１に送信する（ステップＳ３１４）。
【００８５】
続いて、機器制御アプリ２５２の機器制御部２５４は、ＯＳ２５１を介してＰｏｌｉｃｙ１を受信すると（ステップＳ３１６）、Ｐｏｌｉｃｙ１が示すポリシー内容のうち、機器種別が“ＰＣ”のポリシー内容に基づく制御、即ち、インターネットを禁止し、Ｐｒｏｊｅｃｔｏｒ＿１（機器２０−１）を使用可能とし、図示せぬサーバ装置などで管理されているドキュメントのうち、ドキュメント１群へのアクセスを可能とする制御を行う（ステップＳ３１８）。
【００８６】
続いて、機器制御部２５４は、機器２０−２にＰｏｌｉｃｙ１を適用した旨の応答を、ＯＳ２５１を介して機器管理アプリ１５２に行う（ステップＳ３２０、Ｓ３２２）。
【００８７】
以上のように、本実施形態では、機器管理装置が、エリアに応じたポリシーと機器の位置とを管理しているため、機器の位置に応じた機器設定を行うことができる。このため本実施形態によれば、機器が配置されたエリアに応じた機器設定を自動で行うことができ、ユーザによる手動での対応を不用とすることができる。
（変形例）
【００８８】
なお、本発明は、上記実施形態に限定されるものではなく、種々の変形が可能である。
【００８９】
例えば、上記実施形態では、機器が移動されたか否かの判定を機器管理装置１０が行う例について説明したが、機器２０が行うようにしてもよい。この場合、機器２０は、機器が移動された場合に、位置情報等を機器管理装置１０に返却するようにすればよい。
【００９０】
また、上記実施形態では、機器管理装置１０が機器制御プログラムを配布したが、別途サーバ装置を設け、機器管理装置１０の送信部１５９の処理内容を当該サーバ装置で行うようにしてもよい。
【００９１】
（ハードウェア構成）
図９は、本実施形態及び変形例の機器管理装置１０及び機器２０のハードウェア構成の一例を示すブロック図である。図９に示すように、本実施形態及び変形例の機器管理装置１０及び機器２０は、ＣＰＵなどの制御装置８０１と、ＲＯＭやＲＡＭなどの記憶装置８０２と、ＨＤＤやＳＳＤなどの外部記憶装置８０３と、ディスプレイなどの表示装置８０４と、マウスやキーボードなどの入力装置８０５と、ＮＩＣなどの通信Ｉ／Ｆ８０６とを、備えており、通常のコンピュータを利用したハードウェア構成で実現できる。なお、機器２０が画像形成装置である場合には、更にプロッタなどの印刷装置を備え、機器２０がプロジェクタである場合には、更に投影レンズなどの投影装置を備える。
【００９２】
本実施形態及び変形例の機器管理装置１０で実行される機器管理プログラム及び機器２０で実行される機器制御プログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９３】
また、本実施形態及び変形例の機器管理装置１０で実行される機器管理プログラム及び機器２０で実行される機器制御プログラムを、インターネット等のネットワークに接続されたコンピュータ上に格納し、ネットワーク経由でダウンロードさせることにより提供するようにしてもよい。また、本実施形態及び変形例の機器管理装置１０で実行される機器管理プログラム及び機器２０で実行される機器制御プログラムを、インターネット等のネットワーク経由で提供または配布するようにしてもよい。また、本実施形態及び変形例の機器管理装置１０で実行される機器管理プログラム及び機器２０で実行される機器制御プログラムを、ＲＯＭ等に予め組み込んで提供するようにしてもよい。
【００９４】
本実施形態及び変形例の機器管理装置１０で実行される機器管理プログラム及び機器２０で実行される機器制御プログラムは、上述した各部をコンピュータ上で実現させるためのモジュール構成となっている。実際のハードウェアとしては、制御装置８０１が外部記憶装置８０３からプログラムを記憶装置８０２上に読み出して実行することにより、上記各部がコンピュータ上で実現されるようになっている。
【符号の説明】
【００９５】
１  機器管理システム
２  ネットワーク
１０  機器管理装置
２０−１〜２０−３  機器
３０−１〜３０−２  リーダ／ライタ機
４０−１〜４０−３  ＩＣタグ
１１０  通信部
１２０  操作部
１３０  表示部
１４０  記憶部
１４１  機器設定テーブル記憶部
１４２  機器管理情報記憶部
１５０  制御部
１５１  ＯＳ
１５２  機器管理アプリケーション（機器管理アプリ）
１５３  検索部
１５４  依頼部
１５５  管理部
１５６  位置情報取得部
１５７  判定部
１５８  機器設定情報取得部
１５９  送信部
２１０  通信部
２２０  操作部
２３０  表示部
２４０  記憶部
２５０  制御部
２５１  ＯＳ
２５２  機器制御アプリケーション（機器制御アプリ）
２５３  位置情報取得部
２５４  機器制御部
８０１  制御装置
８０２  記憶装置
８０３  外部記憶装置
８０４  表示装置
８０５  入力装置
８０６  通信Ｉ／Ｆ
【先行技術文献】
【特許文献】
【００９６】
【特許文献１】特開２００５−２０８８０８号公報
【図１】
2014035593.tif 000003
【図２】
2014035593.tif 000004
【図３】
2014035593.tif 000005
【図４】
2014035593.tif 000006
【図５】
2014035593.tif 000007
【図６】
2014035593.tif 000008
【図７】
2014035593.tif 000009
【図８】
2014035593.tif 000010
【図９】
2014035593.tif 000011